(57)【要約】【課題】オーディオ用のプラグコードにおけるケーブル先端の遮蔽構造において、簡単且つ安価に製造することができる構造を得る。【解決手段】導体芯１１の周囲を被覆する内側絶縁体１３と、該内側絶縁体の周囲に配置された接地導体１２と、該接地導体の周囲を被覆する外側絶縁体１４を具備した同軸ケーブル１０の先端部に対して、前記導体芯に円柱状ピンプラグ２１を接続し、該円柱状ピンプラグの周囲に位置して円柱状ピンプラグに対して絶縁された筒状プラグ２２に前記接地導体を接続した状態で、先端部を樹脂により一体的に被覆した樹脂内筒３１を形成し、該樹脂内筒に対して外被体となる金属製円筒１を嵌着する一方、前記樹脂内筒に、前記金属製円筒を嵌合して連結するための固定手段（凸部３２）と、他端が接地導体に接続され前記金属製内筒の内壁に当接可能な接続端子１６を設けて構成する。【選択図】  図１
2004327150.tif 000002
【特許請求の範囲】
【請求項１】
導体芯の周囲を被覆する内側絶縁体と、該内側絶縁体の周囲に配置された接地導体と、該接地導体の周囲を被覆する外側絶縁体を具備した同軸ケーブルの先端部に対して、
前記導体芯に円柱状ピンプラグを接続し、該円柱状ピンプラグの周囲に位置して円柱状ピンプラグに対して絶縁された筒状プラグに前記接地導体を接続した状態で、先端部を樹脂により一体的に被覆した樹脂内筒を形成し、該樹脂内筒に対して外被体となる金属製円筒を嵌着する一方、
前記樹脂内筒に、前記金属製円筒を嵌合して連結するための固定手段と、他端が接地導体に接続され前記金属製内筒の内壁に当接可能な接続端子を設けて成ることを特徴とするプラグコード。
【請求項２】
前記固定手段は、樹脂内筒の端部において樹脂により一体的に形成された直径上に位置する一対の凸部で構成された請求項１に記載のプラグコード。
【発明の詳細な説明】
【０００１】
【発明の属する技術分野】
本発明は、各種オーディオ機器及び映像機器の相互間で用いられる接続用プラグコードに関する。
【０００２】
【従来の技術】
従来のオーディオ用プラグコードにおいては、その先端部がプラスチックでモールドされた一体型のものが広く汎用品として使用されている。このプラグコードは、図４及び図５に示すように、導体芯１１及び接地導体１２を有する同軸ケーブル１０の先端部において、プラグ部２０がプラスチックモールド部３０で一体的に被覆された構造となっている。
この構造では、プラスチックモールド部３０による被覆部分のプラグ部２０よりの位置では、図５に示されるように、導体芯１１に対して接地導体１２によるシールドが解除された状態となっているため、同軸ケーブル１０の導体芯１１に対して外部からの遮蔽が十分でなく、大出力や大画面で再正する場合に音質や画質の再現性が劣化する場合があるという問題点があった。
【０００３】
そこで、ケーブル先端部での遮蔽を完全に行うため、先端部分に金属筒を装着する構造が提案されている。これは、例えば図３に示すように、ケーブル先端部において、接地導体１２に接続される筒状プラグ２２のケーブル接続側にネジ山２３を形成し、接続部分を覆う位置に前記ネジ山２３に螺合する金属筒４０を装着する構造が採用されている（例えば、特許文献１の表紙を参照）。
【０００４】
【特許文献１】
松下電器産業株式会社パナソニックマーケティング本部、２００２／１０−１２、接続コード総合カタログ
【０００５】
【発明が解決しようとする課題】
しかしながら、上記構造の場合、金属筒４０を製作するに際して、円柱体の内側を削り取る加工作業が必要となり、煩雑且つコスト高になるという問題点があった。
【０００６】
本発明は上記実情に鑑みてなされたものであり、ケーブル先端の遮蔽構造において、簡単且つ安価に製造することができるプラグコードの構造を提供することを目的としている。
【０００７】
【課題を解決するための手段】
上記目的を達成するため請求項１のプラグコードは、導体芯１１の周囲を被覆する内側絶縁体１３と、該内側絶縁体１３の周囲に配置された接地導体１２と、該接地導体１２の周囲を被覆する外側絶縁体１４を具備した同軸ケーブル１０の先端部に対して、
前記導体芯１１に円柱状ピンプラグ２１を接続し、該円柱状ピンプラグ２１の周囲に位置して円柱状ピンプラグ２１に対して絶縁された筒状プラグ２２に前記接地導体１２を接続した状態で、先端部を樹脂により一体的に被覆した樹脂内筒３１を形成し、該樹脂内筒３１に対して外被体となる金属製円筒１を嵌着する一方、
前記樹脂内筒３１に、前記金属製円筒１を嵌合して連結するための固定手段と、他端が接地導体１２に接続され前記金属製内筒１の内壁に当接可能な接続端子１６を設けて成ることを特徴としている。
【０００８】
請求項２は、請求項１に記載のプラグコードにおいて、前記固定手段は、樹脂内筒３１の端部において樹脂により一体的に形成された直径上に位置する一対の凸部３２で構成されたことを特徴としている。
【０００９】
本発明によれば、同軸ケーブル１０の先端部において、同軸ケーブル１０の接地導体１１に電気的に接続し且つ筒状プラグ２２に接触配置する外被体としての金属製円筒１を装着したので、この部分において外部からの雑音源を遮断することができる。
また、金属製円筒１の下側には樹脂内筒３１により被覆（モールド加工）が施されているので、プラグコード全体の強度の向上を図ることができる。
【００１０】
外被体としての金属製円筒１は、ねじ山の形成等の加工を必要とせず、嵌合することで装着可能としている、煩雑な加工作業を必要とすることなく簡単且つ安価に得ることができる。
【００１１】
【発明の実施の形態】
本発明の実施の形態の一例としてのプラグコードについて、図１及び図２を参照しながら説明する。
プラグコードは、同軸ケーブル１０とプラグ部２０とにより構成され、同軸ケーブル１０は、導体芯１１の周囲を被覆する樹脂で構成された内側絶縁体１３と、該内側絶縁体１３の周囲に格子状に編み込むことにより配置された接地導体１２と、該接地導体１２の周囲を被覆するウレタン樹脂から構成された外側絶縁体１４を具備して成る。同軸ケーブル１０の構造は、従来例として図５に示したものと同一の構造である。
この同軸ケーブル１０の先端部には、導電性金属から構成される接続プラグ（プラグ部）２０が装着されている。接続プラグ２０は、円柱状ピンプラグ２１と、円柱状ピンプラグ２１に対して絶縁体を介在させて固定された筒状プラグ２２から構成されている。
【００１２】
同軸ケーブル１０の導体芯１１は、円柱状ピンプラグ２１の他端側にスポット溶接やハンダを用いて接続されている。また、接地導体１２は、一端が筒状プラグ２２に接続固定され他端が外側絶縁体１４を把持する支持片１５にスポット溶接やハンダを用いて接続されることで、接地導体１２，支持片１５，筒状プラグ２２が電気的に接続されている。
また、支持片１５の外側には、突起部から構成される接続端子１６が一体的に形成された構造となっている。
そして、同軸ケーブル１０と接続プラグ２０との接続部分は、ビニール樹脂による樹脂内筒（プラスチックモールド部）３１で被覆（モールド処理）されている。
【００１３】
モールド処理によりプラグ接続部分は被覆されるが、接続端子１６の先端が樹脂円筒３１の外に臨むようになっている。
そして、金属製円筒１を外被体とし、環状の色表示リング４０を介在させてプラグ接続部分を覆うように金属製円筒１をスライド挿入して固定手段により嵌合することで、金属製円筒１の内壁面１ａが接続端子１６に当接し、金属製円筒１が接地導体１２及び筒状プラグ２２と接続されるように構成されている。
【００１４】
金属製円筒１の固定手段としては、例えば、樹脂内筒３１のプラグ側端部に、直径上に位置する部位に一対の凸部３２を樹脂内筒３１と一体的に形成することで、金属製円筒１を樹脂内筒３１に挿入した際に、凸部３２が金属製円筒１の内壁を押えることで両者を固定する。
なお、金属製円筒１は円筒状（パイプ状）としたが、平板を円筒状に丸めることで形成されるスリット付き円筒を用いてもよい。
【００１５】
色表示リングは、複数のプラグコードにおいて、予め異なる色が彩色された色表示リング４０を使用することでプラグコードの種類（左右音声用又は映像用）を区別するためのものであり、例えば、赤、白、黄色が使用される。
ことができる。
【００１６】
上述のプラグコードによれば、平板を円筒状に丸めることで構成するスリット２を有する円筒を外被体１とし、同軸ケーブル１０に対してスライド挿入して圧接して固定するので、旋盤加工やねじ加工を必要とすることなく遮蔽用の外被体１を簡単且つ安価に得ることができる。
【００１７】
【発明の効果】
本発明のプラグコードによれば、同軸ケーブルの先端部において、同軸ケーブルの接地導体に電気的に接続し且つ円筒状接地プラグに接触配置する外被体を装着したので、この部分において外部からの雑音源を遮断することができる。
また、外被体は、ねじ山等の加工が不要な筒状素材や、平板を円筒状に丸めてものを使用することで、金属円柱体の内側部分を研削するという複雑な加工作業を必要とせずに簡単且つ安価に得ることができ、外部からの雑音源を遮断するプラグコードを低コストで実現することができる。
【図面の簡単な説明】
【図１】本発明の実施例に係るプラグコードの外観を示すもので、（ａ）は側面絶命図、（ｂ）は金属製円筒装着前の側面説明図である。
【図２】プラグコードの内部構成を説明するための構造説明図である。
【図３】従来の金属筒が装着されたプラグコードの構造説明図である。
【図４】従来の汎用プラグコードの外観説明図である。
【図５】従来の汎用プラグコードの内部構成を説明するための構造説明図である。
【符号の説明】
１…金属製円筒（外被体）、
１０…同軸ケーブル、
１１…導体芯、  １２…接地導体、
１３…内側絶縁体、  １４…外側絶縁体、
１５…支持片、  １６…接続端子、
２０…接続プラグ（プラグ部）、
２１…円柱状ピンプラグ、  ２２…筒状プラグ、
３０…プラスチックモールド部、
３１…樹脂内筒（プラスチックモールド部）、
３２…凸部（固定手段）、
４０…色表示リング
【図１】
2004327150.tif 000003
【図２】
2004327150.tif 000004
【図３】
2004327150.tif 000005
【図４】
2004327150.tif 000006
【図５】
2004327150.tif 000007